(57)【要約】【課題】メッシュ部材を、がたつきを生じることなくダクトの流路内に固定することを簡単な構成で実現する。【解決手段】メッシュ部材と、メッシュ部材が取り付けられるホルダとからなるダクト構造であって、メッシュ部材は、メッシュ部と、折り曲げ部と、バネ構造と、を有するＬ字型の板状部材であり、折り曲げ部は、形成される面がメッシュ部およびバネ構造により形成される面と略直交するように折り曲げられるとともに、折り曲げられる線に沿って設けられたスリットと、該スリットから開放端部との間に形成される撓み領域とを備え、ホルダは、メッシュ部材が挿入されるスロット部と、メッシュ部材が取り付けられたときに、メッシュ部により塞がれる開口と、バネ構造がバネ力を生じる形状で保持する係止部と、折り曲げ部が載置される載置部と、該載置部に設けられ、撓み領域に向けて突出する突起部と、を有する。【選択図】図８
2018084616.tif 000002
【特許請求の範囲】
【請求項１】
メッシュ部材と、前記メッシュ部材が取り付けられるホルダとからなるダクト構造であって、
前記メッシュ部材は、
メッシュが形成されたメッシュ部と、前記メッシュ部に対して折り曲げられた折り曲げ部と、前記メッシュ部の前記折り曲げ部の反対側となる辺に形成された、曲げ起こしによるバネ構造と、を有するＬ字型の板状部材であり、
前記折り曲げ部は、形成される面が前記メッシュ部および前記バネ構造により形成される面と略直交するように折り曲げられるとともに、折り曲げられる線に沿って設けられたスリットと、該スリットから開放端部との間に形成される撓み領域とを備え、
前記ホルダは、
前記メッシュ部材が挿入されるスロット部と、前記メッシュ部材が取り付けられたときに、前記メッシュ部により塞がれる開口と、前記バネ構造がバネ力を生じる形状で保持する係止部と、前記折り曲げ部が載置される載置部と、該載置部に設けられ、前記撓み領域に向けて突出する突起部と、を有するダクト構造。
【請求項２】
請求項１記載のダクト構造において、
メッシュ部材が板金により形成されているダクト構造。
【請求項３】
請求項１記載のダクト構造において、
メッシュ部材が樹脂により形成されているダクト構造。
【請求項４】
請求項１ないし請求項３のいずれかに記載のダクト構造を備えたプロジェクタ。
【発明の詳細な説明】
【技術分野】
【０００１】
本発明は、プロジェクタのダクト構造に関する。
【背景技術】
【０００２】
特許文献１（特開２００１−６８８８２号公報）に開示されるように、光源を冷却するためのファンやダクトを備えたプロジェクタが知られている。
【０００３】
図１は画像光を投写するプロジェクタの画像光を出射する前面側を示す斜視図、図２はプロジェクタの背面側を示す斜視図である。
【０００４】
図１および図２に示されるプロジェクタ１００の前面には、図１に示すように画像光を出射する投写レンズ１０６が設けられ、背面には、図２に示すように排気開口部１０８が設けられている。プロジェクタ１００は、図１に示されるような底面側１０５が床に置かれる、床置き設置、または、天面側１０１が天井などに取り付けられる天吊り設置で使用されることが多い。このため、これらの設置状態で吸排気が可能であり、また、触れることが可能となる側面および背面には、吸排気口やメンテナンスのための設備が設けられる。
【０００５】
プロジェクタ１００の側面には、排気側面開口部１０２、ランプカバー１０３、操作スイッチ１０４、および、吸気開口部１０７が設けられ、プロジェクタ１００の背面には排気開口部１０８が設けられている。
【０００６】
吸気開口部１０７より吸気された気体は、排気側面開口部１０２および排気開口部１０８から排気される。ランプカバー１０３は光源として用いられるランプを交換する際に使用される。操作スイッチ１０４は投写状態を操作するために用いられる。
【０００７】
図３はプロジェクタ１００の内部構造を示す斜視図であり、本発明のダクト構造に関連する箇所を示している。
【０００８】
プロジェクタ１００の内部には、光学部品冷却ダクト２０１、光学エンジン２０２、ランプ冷却ファン２０３、ランプボックス２０４、排気ダクトアッセンブリ２０５、および、冷却ファン２０６が設けられている。
【０００９】
光学エンジン２０２はランプボックス２０４内に設けられた光源（不図示）からの照明光を、映像入力端子（不図示）を介して外部より供給される映像信号に応じて変調して画像光とする。画像光は、図１に示した投写レンズ１０６により投写される。
【００１０】
光学部品冷却ダクト２０１は、吸気開口部１０７から導入された気体を光学エンジン２０２に導くものであり、光学エンジン２０２を冷却した気体は、光学エンジン２０２に連結されたランプボックス２０４を通ってランプックス２０４を冷却する。この後、冷却風は排気ダクトアッセンブリ２０５を通って排気側面開口部１０２および排気開口部１０８より排気される。この冷却風の流れは、ランプボックス２０４に隣接されたランプ冷却ファン２０３および排気開口部１０８に隣接された冷却ファン２０６により形成される。
【先行技術文献】
【特許文献】
【００１１】
【特許文献１】特開２００１−６８８８２号公報
【発明の概要】
【発明が解決しようとする課題】
【００１２】
プロジェクタを構成する主な部品として、光源、光学エンジン、投写レンズ、電子回路基板、電源などがある。光源としては、発光管やレーザ、ＬＥＤ（Ｌｉｇｈｔ  Ｅｍｉｔｔｉｎｇ  Ｄｉｏｄｅ）などが用いられるが、光源には性能を十分に発揮することができる設定温度があり、設定温度の範囲内にする必要がある。
【００１３】
図１ないし図３に示した例では、吸気開口部１０７から導入された気体を、光学部品冷却ダクト２０１、排気ダクトアッセンブリ２０５により形成される流路内を通過させ、光学エンジン２０２、ランプボックス２０４を通過させることにより光学エンジン２０２、ランプボックス２０４の温度を適正な温度範囲内に保っている。
【００１４】
光源として発光管を用いる場合、発光管の内圧が上がって破裂する危険性がある。発光管の破裂が発生した場合、発光管を形成していた破裂したガラスが排気ダクトアッセンブリ２０５により形成される流路を通って排気側面開口部１０２や排気開口部１０８から飛散する可能性がある。
【００１５】
上記のような破損ガラスの外部への飛散を防止するために、排気ダクトアッセンブリ２０５により形成される流路内にメッシュ部材などを設ける必要がある。
【００１６】
メッシュ部材は、板金や樹脂などにより形成されるが、部材を構造物に取り付ける際には、がたつき防止を兼ね、ねじ止めにより固定することが一般的である。ねじ止めを行うには、ねじ止めを行うための場所やねじ受けを設けることが必要となるが、流路などのねじ止めを行うための場所を確保することが困難な箇所には不向きである。
【００１７】
ねじ止めの場所を確保することができない場合には、樹脂に突起を設けてその突起を締結物で挟み、熱で溶着することが行われる。この場合には、溶着するための溶着工具などの設備が必要になり、また、設備のメンテナンスも必要となるため、維持コストが増大する。さらに、耐熱樹脂を溶着する工具は摩耗が激しいことから維持コストはさらに増大する。
【００１８】
本発明はメッシュ部材を、がたつきを生じることなくダクトの流路内に固定することを簡単な構成で実現する。
【課題を解決するための手段】
【００１９】
本発明によるダクト構造は、メッシュ部材と、前記メッシュ部材が取り付けられるホルダとからなるダクト構造であって、
前記メッシュ部材は、
メッシュが形成されたメッシュ部と、前記メッシュ部に対して折り曲げられた折り曲げ部と、前記メッシュ部の前記折り曲げ部の反対側となる辺に形成された、曲げ起こしによるバネ構造と、を有するＬ字型の板状部材であり、
前記折り曲げ部は、形成される面が前記メッシュ部および前記バネ構造により形成される面と略直交するように折り曲げられるとともに、折り曲げられる線に沿って設けられたスリットと、該スリットから開放端部との間に形成される撓み領域とを備え、
前記ホルダは、
前記メッシュ部材が挿入されるスロット部と、前記メッシュ部材が取り付けられたときに、前記メッシュ部により塞がれる開口と、前記バネ構造がバネ力を生じる形状で保持する係止部と、前記折り曲げ部が載置される載置部と、該載置部に設けられ、前記撓み領域に向けて突出する突起部と、を有する。
【００２０】
本発明のプロジェクタは、上記のダクト構造を備えている。
【発明の効果】
【００２１】
上記の構成を備える本発明では、メッシュ部材を、がたつきを生じることなくダクトの流路内に固定することが簡単な構成で実現される。
【図面の簡単な説明】
【００２２】
【図１】プロジェクタの画像光を出射する前面側を示す斜視図である。
【図２】プロジェクタの背面側を示す斜視図である。
【図３】プロジェクタ１００の内部構造を示す斜視図である。
【図４】（ａ）は、本発明のプロジェクタのダクト構造の一実施形態の斜視図、（ｂ）は、（ａ）中の排気ダクトアッセンブリ２０５のみを示す斜視図である。
【図５】ホルダ２０５１の上面図である。
【図６】（ａ）はメッシュ部材３０１の正面図、（ｂ）は図５のＡ−Ａ線断面矢視図、（ｃ）はホルダ２０５１にメッシュ部材３０１が取り付けられた状態を示す正面図である。
【図７】７（ａ）〜（ｃ）は図６（ａ）〜（ｃ）にそれぞれ対応する斜視図、（ｄ）はメッシュ部材３０１がホルダ２０５１に当接する部分を拡大して示す斜視図である。
【図８】（ａ）はメッシュ部材３０１がホルダ２０５１に当接する部分を拡大して示す断面図、（ｂ）は図６（ｃ）のＢ−Ｂ線断面矢視図、（ｃ）はメッシュ部材３０１を詳細に示す斜視図である。
【発明を実施するための形態】
【００２３】
次に、本発明の実施形態について図面を参照して説明する。
【００２４】
図４（ａ）は、本発明のプロジェクタのダクト構造の一実施形態の斜視図である。図４（ａ）に示されるランプ冷却ファン２０３、ランプボックス２０４および排気ダクトアッセンブリ２０５は図３に示したものである。図４（ｂ）は、図４（ａ）中の排気ダクトアッセンブリ２０５のみを示す斜視図である。
【００２５】
排気ダクトアッセンブリ２０５は、図４（ｂ）に示すように２つのホルダ２０５１、２０５２からなる。ホルダ２０５１、２０５２はねじ３０３により螺合されて一体とされている。また、ホルダ２０５１、２０５２にはそれぞれメッシュ部材３０１、３０２が取り付けられている。ホルダ２０５１、２０５２へのメッシュ部材３０１、３０２の取付け構造について以下に説明するが、これらは同じ構造であるため、以下ではホルダ２０５１へのメッシュ部材３０１の取り付け構造についてのみ説明する。
【００２６】
図５はホルダ２０５１の上面図であり、図６（ａ）はメッシュ部材３０１の正面図、図６（ｂ）は図５のＡ−Ａ線断面矢視図、図６（ｃ）はホルダ２０５１にメッシュ部材３０１が取り付けられた状態を示す正面図であり、図７（ａ）〜（ｃ）は図６（ａ）〜（ｃ）にそれぞれ対応する斜視図、図７（ｄ）はメッシュ部材３０１がホルダ２０５１に当接する部分を拡大して示す斜視図、図８（ｂ）は図６（ｃ）のＢ−Ｂ線断面矢視図、図８（ａ）はメッシュ部材３０１がホルダ２０５１に当接する部分を拡大して示す断面図、図８（ｃ）はメッシュ部材３０１を詳細に示す斜視図である。
【００２７】
メッシュ部材３０１は、図８（ｃ）に示すように、メッシュが形成されたメッシュ部８０７と、メッシュ部８０７を挟む両端に形成された折り曲げ部８０６と、曲げ起こしによるバネ構造８０４と、を有するＬ字型の板状部材であり、板金や樹脂（エンジニアリングプラスチック）などで作製される。
【００２８】
折り曲げ部８０６は、形成される面が前記メッシュ部８０７およびバネ構造８０４が形成される面と略直交するように折り曲げられている。メッシュ部８０７の折り曲げ部８０６の反対側となる辺には、曲げ起こしによるバネ構造８０４が２つ設けられている。バネ構造８０４は本実施形態では２つ設けられているが、その個数は特に限定されるものではなく、１つ以上設けられていればよい。
【００２９】
折り曲げ部８０６には、折り曲げられる線に沿って設けられたスリット８０３が設けられている。スリット８０３が設けられることにより、図８（ｃ）において斜線で示される、スリット８０３から近傍となる辺までの領域、換言すると、スリット８０３から開放端部との間の領域は、撓むことが可能な撓み領域８０５とされる。
【００３０】
ホルダ２０５１には、図７（ａ），（ｂ）に示されるように、メッシュ部材３０１が取り付けられたときにメッシュ部８０７により塞がれる開口６０６と、メッシュ部材３０１が挿入されるスロット部６０４、メッシュ部材３０１のバネ構造８０４が挿通される係合穴６０５を備えた係止部６０３、メッシュ部材３０１が取り付けられたときに折り曲げ部８０６が載置される載置部６０２が設けられている。載置部６０２には、載置された折り曲げ部８０６の撓み領域８０５の略中心付近に対応する箇所に向けて突出する細長い突起部６０１が設けられている。
【００３１】
図６（ｂ）、図７（ｂ）、および、図８（ｂ）に示されるようなホルダ２０５１への取り付け時には、メッシュ部材３０１のバネ構造８０４は係止部６０３により自由状態よりも縮んだ状態であり、バネ力が生じる形状で保持される。このため、図８（ｂ）中の矢印のように図面右方向にバネ力が働き、その反作用によりメッシュ部材３０１はホルダ２０５１に押圧される。また、バネ構造８０４の先端が係止部６０３に衝止されることによりメッシュ部材３０１の図７（ｂ）における上方向への移動は規制される。
【００３２】
一方、折り曲げ部８０６では、図８（ａ）および図７（ｄ）に示されるように、載置部６０２に設けられた突起部６０１により撓み領域８０５が撓み、メッシュ部材３０１全体が図中の矢印のように図面上方向に押し上げられる。上述したように、メッシュ部材３０１は、バネ構造８０４の先端が係止部６０３に衝止されることにより、図７（ｂ）における上方向への移動は規制されているが、突起部６０１の押し上げにより、メッシュ部材３０１は、図７（ｂ）における上方向に常に付勢されるため、がたつきが生じることはない。
【符号の説明】
【００３３】
３０１    メッシュ部材
６０１突起部
６０２    載置部
６０３    係止部
６０４    スロット部
６０６    開口
８０３    スリット
８０５    撓み領域
８０６    折り曲げ部
８０７    メッシュ部
２０５１    ホルダ
【図１】
2018084616.tif 000003
【図２】
2018084616.tif 000004
【図３】
2018084616.tif 000005
【図４】
2018084616.tif 000006
【図５】
2018084616.tif 000007
【図６】
2018084616.tif 000008
【図７】
2018084616.tif 000009
【図８】
2018084616.tif 000010